(57)【要約】【課題】多機能でありながら、使用性に優れ、構造が簡単な可動間仕切り装置を提供する。【解決手段】この可動間仕切り装置においては、間仕切り壁５に中央軸部材１０、１１と端部軸部材１２、１３を設けて、これら軸部材１０〜１３を天井レール２と床レール４に選択的に係合させることで、間仕切り壁５を固定姿勢、移動姿勢、扉利用姿勢に切換可能としている。これにより、間仕切り壁５を固定して室内空間８を仕切ったり、仕切らないときに間仕切り壁５を壁際に移動させて収容するだけでなく、間仕切り壁５を扉として利用可能とすることができる。【選択図】図６
2009013729.tif 000002
【特許請求の範囲】
【請求項１】
室内空間（８）の天井面（１）に設けられた天井レール（２）と、前記室内空間（８）の床面（３）に設けられた床レール（４）と、これら天井レール（２）と床レール（４）との間に跨って移動可能に取り付けられた間仕切り壁（５）・・とを備え、前記間仕切り壁（５）は、その壁体（６）の上端略中央に設けられて、前記天井レール（２）に対して係脱可能とされた上側の中央軸部材（１０）と、この上側の中央軸部材（１０）に対応して前記壁体（６）の下端略中央に設けられて、前記床レール（４）に対して係脱可能とされた下側の中央軸部材（１１）と、前記壁体（６）の上端端部に設けられて、前記天井レール（２）に対して係脱可能とされた上側の端部軸部材（１２）と、この上側の端部軸部材（１２）に対応して前記壁体（６）の下端端部に設けられて、前記床レール（４）に対して係脱可能とされた下側の端部軸部材（１３）とを備え、前記間仕切り壁（５）は、前記上下の中央軸部材（１０）（１１）及び上下の端部軸部材（１２）（１３）を前記天井レール（２）と床レール（４）に係合して、前記壁体（６）の水平方向の回転を阻止した固定姿勢と、前記上下の中央軸部材（１０）（１１）を前記天井レール（２）と床レール（４）に係合するとともに、前記上下の端部軸部材（１２）（１３）を前記天井レール（２）と床レール（４）から抜き出して、前記壁体（６）を前記天井レール（２）及び床レール（４）に沿って走行可能、且つ、前記上下の中央軸部材（１０）（１１）を中心として水平方向に回転可能とした移動姿勢と、前記上下の中央軸部材（１０）（１１）を前記天井レール（２）と床レール（４）から抜き出すとともに、前記上下の端部軸部材（１２）（１３）を前記天井レール（２）と床レール（４）に係合して、前記壁体（６）を前記上下の端部軸部材（１２）（１３）を中心として水平方向に回転可能とした扉利用姿勢との間で切換可能としたことを特徴とする可動間仕切り装置。
【請求項２】
前記間仕切り壁（５）は、前記上側の中央軸部材（１０）と下側の中央軸部材（１１）を連動させて、これら上下の中央軸部材（１０）（１１）を前記天井レール（２）と床レール（４）に同時に係合させ、且つ、前記天井レール（２）と床レール（４）から同時に抜け出させる第１の連動機構（３０）と、前記上側の端部軸部材（１２）と下側の端部軸部材（１３）を連動させて、これら上下の端部軸部材（１２）（１３）を前記天井レール（２）と床レール（４）に同時に係合させ、且つ、前記天井レール（２）と床レール（４）から同時に抜け出させる第２の連動機構（３１）とを備えた請求項１記載の可動間仕切り装置。
【請求項３】
前記第１及び第２の連動機構（３０）（３１）の操作部（４５）（４５）を、前記壁体（６）の正面側又は側端面側の高さ方向略中央に配した請求項２記載の可動間仕切り装置。
【請求項４】
前記壁体（６）の下端に複数のキャスター（７）・・を設け、これらキャスター（７）・・を、前記壁体（６）の前記天井レール（２）及び床レール（４）に沿った回転位置において前記床レール（４）上を走行可能とし、前記壁体（６）の前記天井レール（２）及び床レール（４）からずれた回転位置において床面（３）上を走行可能とした請求項１乃至３記載のいずれかに記載の可動間仕切り装置。  
【発明の詳細な説明】
【技術分野】
【０００１】
この発明は、主として住宅の室内空間を仕切るために用いられる可動間仕切り装置に関する。
【背景技術】
【０００２】
住宅の長寿命化が重要視される近年では、構造躯体等の高耐久化とともに、室内空間を臨機応変に変化させて、居住者のライフスタイルやライフステージの変化に柔軟に対応できる内装システムが求められている。そして、そのような内装システムの構築に際して、室内空間を使用状況に応じて間仕切り壁によって仕切ることができる可動間仕切り装置が利用されている。
【０００３】
この種の可動間仕切り装置としては、複数の間仕切り壁を移動可能に設けて、室内空間を仕切らないときには、複数の間仕切り壁を壁際に収容できるようにしたものが一般的である。しかしながら、このような可動間仕切り装置においては、室内空間を仕切るといった単独の機能しか有していないものがほとんどであって、機能性の向上が求められていた。
【０００４】
そこで、近年では、例えば特許文献１に開示されているように、複数の間仕切り壁を天井レールと床レールとの間に跨って走行可能、且つ、回転可能に設けて、間仕切り壁によって室内空間を単に仕切るだけでなく、間仕切り壁を扉等として機能させることができるようにしたものが提案されている。
【０００５】
【特許文献１】特開２０００−２９１３１７号公報
【発明の開示】
【発明が解決しようとする課題】
【０００６】
上記の可動間仕切り装置において、各間仕切り壁は、その壁体の上端略中央及び下端略中央から突出した上下の軸部材が天井レールや床レールに係合されていて、これら軸部材を天井レールや床レールに沿ってスライドさせることで走行し、且つ、これら軸部材周りに回転するようになっている。
【０００７】
従って、間仕切り壁を扉として使用して、上下の軸部材周りに回転させて開放したときに、開放部分が狭くなって出入りがし難く、使用性に乏しいといった問題があった。また、複数の間仕切り壁によって室内空間を仕切った状態において、間仕切り壁が不用意に回転するのを阻止するために、固定防止用の専用部材を別途設けており、このため部品点数が多くなって構造が複雑になるといった問題があった。
【０００８】
そこで、この発明は、上記の不具合を解消して、多機能でありながら、使用性に優れ、しかも構造が簡単な可動間仕切り装置の提供を目的とする。
【課題を解決するための手段】
【０００９】
上記課題を解決するため、この発明の可動間仕切り装置は、室内空間８の天井面１に設けられた天井レール２と、室内空間８の床面３に設けられた床レール４と、これら天井レール２と床レール４との間に跨って移動可能に取り付けられた間仕切り壁５・・とを備え、間仕切り壁５は、その壁体６の上端略中央に設けられて、天井レール２に対して係脱可能とされた上側の中央軸部材１０と、この上側の中央軸部材１０に対応して壁体６の下端略中央に設けられて、床レール４に対して係脱可能とされた下側の中央軸部材１１と、壁体６の上端端部に設けられて、天井レール２に対して係脱可能とされた上側の端部軸部材１２と、この上側の端部軸部材１２に対応して壁体６の下端端部に設けられて、床レール４に対して係脱可能とされた下側の端部軸部材１３とを備え、前記間仕切り壁５は、上下の中央軸部材１０、１１及び上下の端部軸部材１２、１３を天井レール２と床レール４に係合して、壁体６の水平方向の回転を阻止した固定姿勢と、上下の中央軸部材１０、１１を天井レール２と床レール４に係合するとともに、上下の端部軸部材１２、１３を天井レール２と床レール４から抜き出して、壁体６を天井レール２及び床レール４に沿って走行可能、且つ、上下の中央軸部材１０、１１を中心として水平方向に回転可能とした移動姿勢と、上下の中央軸部分１０、１１を天井レール２と床レール４から抜き出すとともに、上下の端部軸部材１２、１３を天井レール２と床レール４に係合して、壁体６を上下の端部軸部材１２、１３を中心として水平方向に回転可能とした扉利用姿勢との間で切換可能としている。
【００１０】
また、間仕切り壁５は、上側の中央軸部材１０と下側の中央軸部材１１を連動させて、これら上下の中央軸部材１０、１１を天井レール２と床レール４に同時に係合させ、且つ、天井レール２と床レール４から同時に抜け出させる第１の連動機構３０と、上側の端部軸部材１２と下側の端部軸部材１３を連動させて、これら上下の端部軸部材１２、１３を天井レール２と床レール４に同時に係合させ、且つ、天井レール２と床レール４から同時に抜け出させる第２の連動機構３１とを備えている。この場合は、間仕切り壁５には、第１及び第２の連動機構３０、３１の操作部４５、４５を、壁体６の正面側又は側端面側の高さ方向略中央に配している。
【００１１】
さらに、壁体６の下端に複数のキャスター７・・を設け、これらキャスター７・・を、壁体６の天井レール２及び床レール４に沿った回転位置において床レール４上を走行可能とし、壁体６の天井レール２及び床レール４からずれた回転位置において床面３上を走行可能としている。
【発明の効果】
【００１２】
この発明の可動間仕切り装置では、間仕切り壁に中央軸部材と端部軸部材を設けて、これら軸部材を天井レールと床レールに選択的に係合させることで、間仕切り壁を固定姿勢、移動姿勢、扉利用姿勢に切換可能としている。これにより、間仕切り壁を固定して室内空間を仕切ったり、仕切らないときに間仕切り壁を壁際に移動させて収容するだけでなく、間仕切り壁を扉として利用可能とすることができ、機能性の向上を図ることができる。しかも、間仕切り壁を扉利用姿勢としたときには、上下の端部軸部材を中心として水平方向に回転可能となっているので、開放部分を広く確保して出入りが容易となり、使用性の向上も図ることができる。さらに、間仕切り壁を固定姿勢としたときには、移動姿勢のときに回転中心となる上下の中央軸部材及び扉利用姿勢のときに回転中心となる上下の端部軸部材を利用して、これらを天井レールと床レールに係合させることで、間仕切り壁の回転を阻止しているので、回転防止用の固定専用部材を別途設ける必要がなく、部材の共有化を図りながら構造を簡単にすることができる。
【００１３】
また、第１及び第２の連動機構を設けて、上側と下側の中央軸部材、上側と下側の端部軸部材を互いに連動させながら天井レールと床レールに同時に係脱可能としていることから、操作性の向上を図ることができる。
【００１４】
さらにまた、第１及び第２の連動機構の操作部を、壁体の正面側又は側端面側の高さ方向略中央といった操作し易い位置に設けていることから、間仕切り壁の姿勢切換を簡単に行うことができ、より一層の操作性の向上を図ることができる。
【００１５】
さらに、間仕切り壁の壁体の下端には、キャスターを設けていて、壁体の移動時や回転時にキャスターが床レール上若しくは床面上を走行するようになっているので、間仕切り壁の移動を円滑に行うことができ、間仕切り壁の移動に伴う天井面や床面の傷付きも軽減することもできる。
【発明を実施するための最良の形態】
【００１６】
以下、この発明の実施形態を図面に基づいて詳細に説明する。この発明の一実施形態に係る可動間仕切り装置は、図１及び図２に示すように、天井面１に設けられた天井レール２と床面３に設けられた床レール４との間に跨って、複数の間仕切り壁５・・を移動可能に取り付けている。
【００１７】
間仕切り壁５は、図３〜図５に示すように、略長方形状の壁体６と、その壁体６の上端略中央に設けられて、天井レール２に対して係脱可能とされた上側の中央軸部材１０と、この上側の中央軸部材１０に対応して壁体６の下端略中央に設けられて、床レール４に対して係脱可能とされた下側の中央軸部材１１と、壁体６の上端端部に設けられて、天井レール２に対して係脱可能とされた上側の端部軸部材１２と、この上側の端部軸部材１２に対応して壁体６の下端端部に設けられて、床レール４に対して係脱可能とされた下側の端部軸部材１３とを備えている。また、壁体６の下端には、下側の中央軸部材１１を挟んだ両側に複数のキャスター７・・が設けられている。
【００１８】
壁体６は、図６に示すように、方形枠状のフレーム１５と、そのフレーム１５の表裏面側に貼り付けた石膏ボード等からなる壁面材１６、１６とによって構成されている。そして、フレーム１５は、一対の縦枠材２０、２０と、これら縦枠材２０、２０の上端部間及び下端部間を連結する一対の横枠材２１、２１とを備え、縦枠材２０、２０の略中央部間には桟材２２が差し渡されている。
【００１９】
上下の中央軸部材１０、１１及び上下の端部軸部材１２、１３は、ピン状に形成されており、壁体６の上下端に上下動可能に取り付けられている。そして、天井レール２や床レール４に係合しているときには、これらレール２、４に沿ってスライド可能で、且つ、間仕切り壁５の回転支点となるように構成されている。なお、上側の中央軸部材１０や上側の端部軸部材１２を、天井レール２に対してクリアランスを小さくした状態で係合するブロック状に形成して、間仕切り壁５の移動時のガタツキを抑えるようにしても良い。
【００２０】
そして、間仕切り壁５は、上側の中央軸部材１０と下側の中央軸部材１１を連動させて、これら上下の中央軸部材１０、１１を天井レール２と床レール４に同時に係合させ、且つ、天井レール２と床レール４から同時に抜け出させる第１の連動機構３０と、上側の端部軸部材１２と下側の端部軸部材１３を連動させて、これら上下の端部軸部材１２、１３を天井レール２と床レール４に同時に係合させ、且つ、天井レール２と床レール４から同時に抜け出させる第２の連動機構３１とを備えている。
【００２１】
第１の連動機構３０は、図６〜図８に示すように、上下のシャフト３２、３３と、これらシャフト３２、３３を上下動させるクランク部材３４とを備えている。上側のシャフト３２は、壁体６内において桟材２２を貫通して上下方向に配され、その上端部に上側の中央軸部材１０が取り付けられ、下端部にラックギヤ３５が取り付けられている。また、上側のシャフト３２の中間部には係合ピン３６が設けられている。下側のシャフト３３は、壁体６内において折曲した状態で上下方向に配され、その上端部にラックギヤ３５が取り付けられ、下端部に下側の中央軸部材１１が取り付けられている。そして、上下のシャフト３２、３３のラックギヤ３５、３５は、壁体６に回転自在に取り付けられたピニオンギヤ３７を介して連結される。これにより上側のシャフト３２の上動に伴って下側のシャフト３３が下動し、上側のシャフト３２の下動に伴って下側のシャフト３３が上動するようになっている。
【００２２】
クランク部材３４は、図７及び図８に示すように、壁体６内に組み込まれており、桟材２２の下側に取り付けられた軸受４０付きのプレート４１を備えている。軸受４０には、固定クランクロッド４２の一端部が固定されるとともに、可動クランクロッド４３の一端部が回転自在に支持されている。また、固定クランクロッド４２の他端部には、円板４４が回転自在に支持されている。円板４４の回転中心には、第１の連動機構３０を操作するための操作部４５が設けられ、この操作部４５は、壁体６の正面側の高さ方向略中央に露出した状態で配されている。また、円板４４の周端部には、係合ピン４６が突出されている。なお、操作部４５には、図示しないハンドルを嵌合するための略長方形状のハンドル挿入孔４５ａが設けられている。ハンドル挿入孔４５ａは、シール等の遮蔽材で覆い隠しておいて、必要に応じて露出させても良い。
【００２３】
可動クランクロッド４３の中間部には、長穴４３ａが形成されており、その長穴４３ａに円板４４の係合ピン４６が移動自在に係合されている。また、可動クランクロッド４３の他端部には、横溝４３ｂが形成されており、その横溝４３ｂに上側のシャフト３２の係合ピン３６が移動自在に係合されている。また、第２の連動機構３１も、上記第１の連動機構３０と同様に構成されている。
【００２４】
上記の第１及び第２の連動機構３０、３１において、操作部４５のハンドル挿入孔４５ａに図示しないハンドルを差し込んで回転させると、クランク部材３４の円板４４が回転し、円板４４の係合ピン４６が可動クランクロッド４３の長穴４３ａの穴壁を押しながら長穴４３ａ内を移動することで、可動クランクロッド４３がその一端部を中心として揺動する。そして、可動クランクロッド４３の他端部の横溝４３ｂに係合された係合ピン３６を介して上側のシャフト３２が上動若しくは下動し、これに伴って上側のシャフト３２にラックギヤ３５、３５及びピニオンギヤ３７を介して連結された下側のシャフト３３が下動若しくは上動する。これにより、上側と下側の中央軸部材１０、１１、上側と下側の端部軸部材１２、１３が互いに連動して上下方向に移動し、天井レール２と床レール４に同時に係合若しくは同時に抜け出すようになっている。
【００２５】
なお、図７は、上下の中央軸部材１０、１１や上下の端部軸部材１２、１３が天井レール２と床レール４から同時に抜け出したときの連動機構３０、３１の状態を示しており、図８は、上下の中央軸部材１０、１１や上下の端部軸部材１２、１３が天井レール２と床レール４に同時に係合したときの連動機構３０、３１の状態を示している。
【００２６】
キャスター７・・としては、図３〜図５に示すように、例えば物流の現場等で使用されるような高精度なボールキャスターが用いられている。キャスター７・・は、例えば合計６個用意されており、下側の中央軸部材１１を挟むようにして左右３個ずつ等間隔に配置されている。従って、これら６個のキャスター７・・によって、壁体６の荷重を分散させてバランス良く支えることができる。
【００２７】
次に、上記構成の間仕切り壁５の動作について説明する。まず、上下の中央軸部材１０、１１及び上下の端部軸部材１２、１３の両方が天井レール２と床レール４に係合しているときは、図３に示すように、間仕切り壁５は、壁体６の水平方向への回転を阻止した固定姿勢となる。そして、図１に示すように、複数の間仕切り壁５・・を天井レール２及び床レール４に沿って並設して、各間仕切り壁５・・を上記固定姿勢とすることによって、室内空間８を間仕切ることができる。
【００２８】
また、上下の中央軸部材１０、１１を天井レール２及び床レール４に係合するとともに、上下の端部軸部材１２、１３を天井レール２及び床レール４から抜き出しているときは、図４に示すように、間仕切り壁５は、壁体６を天井レール２及び床レール４に沿って走行可能、且つ、上下の中央軸部材１０、１１を中心として、水平方向に回転可能とした移動姿勢となる。この移動姿勢において、壁体６を天井レール２及び床レール４に沿って走行させるときには、キャスター７・・が床レール４上を走行し、壁体６を上下の中央軸部材１０、１１を中心として天井レール２及び床レール４からずれた位置に回転させると、キャスター７・・が床面３上を走行するようになっているので、間仕切り壁５をがたつかせることなく、軽い力でスムーズに移動させることができる。そして、図２に示すように、間仕切り壁５・・を適宜移動させて、互いに重ね合わせるように壁際に寄せて収容することによって、室内空間８を広く利用することができる。
【００２９】
さらに、上下の中央軸部材１０、１１を天井レール２及び床レール４から抜き出すとともに、上下の端部軸部材１２、１３を天井レール２及び床レール４に係合しているときは、図５に示すように、間仕切り壁５は、壁体６を上下の端部軸部材１２、１３を中心として水平方向に回転可能とした扉利用姿勢となる。この扉利用姿勢において、壁体６を上下の端部軸部材１２、１３を中心として天井レール２及び床レール４からずれた位置に回転させると、キャスター７・・が床面３上を走行するようになっているので、間仕切り壁５をがたつかせることなく、軽い力でスムーズに開閉させることができる。そして、図１に示すように、複数の間仕切り壁５・・によって室内空間８を間仕切った状態において、一部の間仕切り壁５を扉利用姿勢にすることで、開放部分を広く確保して出入りを容易とした使用性に優れた開閉扉として利用することができる。
【００３０】
なお、この発明は上記実施形態に限定されるものでなく、この発明の範囲内で多くの変更及び修正を加え得ることは勿論である。
【００３１】
例えば、上記実施形態においては、第１及び第２の連動機構３０、３１の操作部４５、４５が壁体６の正面側の高さ方向略中央に配されているが、図９に示すように、第１及び第２の連動機構３０、３１の操作部４５、４５を壁体６の側端面側の高さ方向略中央に配してもよい。
【００３２】
この場合、連動機構３０、３１において、円板４４と同期回転するギヤ５０を設けて、壁体６内に水平方向に配したシャフト５１の一端部にギヤ５０に噛合うウォームギヤ５２を取り付けるとともに、シャフト５１の他端部に操作部４５を設けて、この操作部４５を壁体６の側端面側の高さ方向略中央に露出した状態で配置している。
【図面の簡単な説明】
【００３３】
【図１】この発明の一実施形態に係る可動間仕切り装置による室内空間の間仕切り状態を示す斜視図である。
【図２】同じく収容状態を示す斜視図である。
【図３】間仕切り壁の固定姿勢を示す図である。
【図４】間仕切り壁の移動姿勢を示す図である。
【図５】間仕切り壁の扉利用姿勢を示す図である。
【図６】壁体内の連動機構を示す図である。
【図７】軸部材を天井レール及び床レールから抜き出したときの連動機構の動作状態を示す図である。
【図８】軸部材を天井レール及び床レールに係合したときの連動機構の動作状態を示す図である。
【図９】別の実施形態における連動機構を示す図である。
【符号の説明】
【００３４】
１・・天井面、２・・天井レール、３・・床面、４・・床レール、５・・間仕切り壁、６・・壁体、７・・キャスター、８・・室内空間、１０・・上側の中央軸部材、１１・・下側の中央軸部材、１２・・上側の端部軸部材、１３・・下側の端部軸部材、３０・・第１の連動機構、３１・・第２の連動機構、４５・・操作部
【図１】
2009013729.tif 000003
【図２】
2009013729.tif 000004
【図３】
2009013729.tif 000005
【図４】
2009013729.tif 000006
【図５】
2009013729.tif 000007
【図６】
2009013729.tif 000008
【図７】
2009013729.tif 000009
【図８】
2009013729.tif 000010
【図９】
2009013729.tif 000011